(57)【要約】      （修正有）【課題】衣服のボタンサイズに拘わらず、同一の大きさのボタン固定部を取り付けて、所望の径のボタン部を選択して取り付け、製造及び在庫効率を高めることができるボタンを提供する。【解決手段】衣服に掛け留めて係止するボタン部１１と、ボタン部を衣服に固定する固定部とを備え、固定部は、ボタン部を嵌め固定する鍔状部２１と筒状部２２とを備える表側固定部２０と、表側固定部を係止する基部３１と基部に形成される突部３２とを備える裏側固定部３０とを備え、鍔状部と筒状部には連通孔２５を設け、表側固定部の径小部２４に、裏側固定部のフランジ部を突入させ、弾性変形させて膨大部とし、径大部２３と径小部との段部に係止させて表側固定部と裏側固定部とを固定させ、さらにボタン部の裏面に形成した有底孔１２に鍔状部を嵌入し、ボタン部と固定部を固定する。【選択図】図１
0003223557.tif 000002
【実用新案登録請求の範囲】
【請求項１】
ワイシャツやブラウス等の薄手の衣服のボタンホールに差し込まれ掛け留めて係止するボタン部と、前記ボタン部を衣服に固定する、前記ボタン部とは別体の固定部とを備え、
前記固定部は、前記ボタン部を嵌め固定する鍔状部と、前記ボタン部を前記ボタンホールに差し込む際の差し込みマージンを形成する筒状部とを備える表側固定部と、衣服の生地の裏側に配置され前記表側固定部を係止する基部と、前記基部の中央から上方に向けて凸設される先端を先鋭状に形成される突部とを備える裏側固定部とを備え、
前記鍔状部と前記筒状部には、前記鍔状部と前記筒状部とを貫くと共に、前記鍔状部側には径大部を備え、前記筒状部側には径小部を備える連通孔を設け、
衣服生地の裏側から表側にかけて突き抜けさせ、前記表側固定部に設けられた前記径小部に、前記フランジ部を突入させて前記連通孔に嵌入される前記突部の先端部を、前記鍔状部の表側連通孔からの打入により塑性変形させて膨大部とし、前記径大部と前記径小部との段部に係止させて前記表側固定部と前記裏側固定部とを固定させ、前記ボタン部の裏面に形成される有底孔に前記鍔状部を嵌め入れて、前記ボタン部と前記固定部を固定されてなることを特徴とするかしめボタン。
【請求項２】
前記ボタン部は、前記ボタン部の裏面に形成される前記有底孔と同じ直径を有するボタン部群であって、前記ボタン部の直径が異なる複数の種類の前記ボタン部からなる前記ボタン部群から、取り付けられる衣服に使用される径のボタン部を選択して固定されることを特徴とする請求項１に記載のかしめボタン。
【請求項３】
前記突部は、前記突部の外周に前記径小部より若干径大であって、弾性変形又は塑性変形可能なフランジ部を設けてなることを特徴とする請求項１又は２に記載のかしめボタン。
【請求項４】
請求項１乃至請求項３の何れか一に記載のかしめボタンを備えることを特徴とする衣服。
【考案の詳細な説明】
【技術分野】
【０００１】
本考案は、例えば、ワイシャツ、ブラウス等の衣服のボタンホールに掛け留めするかしめボタンに関する。
【背景技術】
【０００２】
従来、本願出願人は、比較的薄手のワイシャツやブラウス等の衣服に使用される、ボタンホールに掛け留める小型のボタンであって、縫製の手間無く簡単に装着でき、カシメ作業の際に表側固定部にかしめ圧力があまり掛からずに、表側固定部の損傷が少ないかしめボタンとして、ワイシャツやブラウス等の薄手の衣服のボタンホールに差し込まれ掛け留めて係止する鍔状化粧部と、前記鍔状化粧部の下面に形成され、ボタンホールに前記鍔状化粧部を差し込む際の差し込みマージンを形成する筒状部とを備える表側固定部と、衣服の生地の裏側に配置され前記表側固定部を係止する基部と、前記基部の中央から上方に向けて凸設される先端を先鋭状に形成される突部とを備える裏側固定部とを備え、前記鍔状化粧部と前記筒状部には、前記鍔状化粧部と前記筒状部とを貫くと共に、前記鍔状化粧部側には径大部を備え、前記筒状部側には径小部を備える連通孔を設け、衣服生地の裏側から表側にかけて突き抜けさせた前記突部を前記表側固定部に設けられた前記連通孔に嵌入し前記突部の先端部を前記鍔状化粧部の表側連通孔からの打入により塑性変形させて膨大部とし前記径大部と前記径小部との段部に係止させて前記表側固定部と前記裏側固定部とを固定させてなることを特徴とするかしめボタンを提案した（特許文献１  特願２０１８−２１３３４４号）。
【０００３】
さらに、その改良発明として、ワイシャツやブラウス等の薄手の衣服のボタンホールに差し込まれ掛け留めて係止する鍔状化粧部と、前記鍔状化粧部の下面に形成され、ボタンホールに前記鍔状化粧部を差し込む際の差し込みマージンを形成する筒状部とを備える表側固定部と、衣服の生地の裏側に配置され前記表側固定部を係止する基部と、前記基部の中央から上方に向けて凸設される先端を先鋭状に形成される突部とを備える裏側固定部とを備え、前記鍔状化粧部と前記筒状部には、前記鍔状化粧部と前記筒状部とを貫くと共に、前記鍔状化粧部側には径大部を備え、前記筒状部側には径小部を備える連通孔を設け、前記突部は、前記突部の外周に前記径小部より若干径大であって、弾性変形又は塑性変形可能なフランジ部を設け、衣服生地の裏側から表側にかけて突き抜けさせ、前記表側固定部に設けられた前記径小部に、弾性変形又は塑性変形させて前記フランジ部を突入させて前記連通孔に嵌入される前記突部の先端部を、前記鍔状化粧部の表側連通孔からの打入により塑性変形させて膨大部とし、前記径大部と前記径小部との段部に係止させて前記表側固定部と前記裏側固定部とを固定させてなることを特徴とするかしめボタンを提案した（特許文献２）。
【０００４】
一方、前記衣服に使用されるボタンの大きさは、衣服の種類やデザインによって異なるものが使用されており、例えば、一般的には、ボタン径が８, ９, １０, １１，５, １３, １５ｍｍのものが良く使用されている。
【０００５】
したがって、前記のかしめボタンは、いずれも、前記鍔状化粧部と前記筒状部とを一体的に備えるように形成されているため、種々のサイズボタン径に対応したサイズの複数のボタン本体を取り揃えねばならず、製造及び在庫効率が損なわれる可能性があった。
【０００６】
【特許文献１】実願２０１９−１７８６号  図１
【特許文献２】実願２０１９−１７８７号  図１
【考案の概要】
【考案が解決しようとする課題】
【０００７】
本考案は、前記問題点を解決するためになされたものであり、ボタン部をボタン固定部に嵌め入れて固定できる構成として、前記衣服に必要とされるボタンサイズに拘わらず、同一の大きさのボタン固定部を取り付けて、予め用意された複数のサイズのボタン部のうちから、必要とされるサイズのボタン部を選択して取り付けることにより、製造及び在庫効率を高めることができるようにしたものである。
【課題を解決するための手段】
【０００８】
請求項１に記載のかしめボタンは、ワイシャツやブラウス等の薄手の衣服のボタンホールに差し込まれ掛け留めて係止するボタン部と、前記ボタン部を衣服に固定する、前記ボタン部とは別体の固定部とを備え、前記固定部は、前記ボタン部を嵌め固定する鍔状部と、前記ボタン部を前記ボタンホールに差し込む際の差し込みマージンを形成する筒状部とを備える表側固定部と、衣服の生地の裏側に配置され前記表側固定部を係止する基部と、前記基部の中央から上方に向けて凸設される先端を先鋭状に形成される突部とを備える裏側固定部とを備え、前記鍔状部と前記筒状部には、前記鍔状部と前記筒状部とを貫くと共に、前記鍔状部側には径大部を備え、前記筒状部側には径小部を備える連通孔を設け、衣服生地の裏側から表側にかけて突き抜けさせ、前記表側固定部に設けられた前記径小部に、  前記フランジ部を突入させて前記連通孔に嵌入される前記突部の先端部を、前記鍔状部の表側連通孔からの打入により塑性変形させて膨大部とし、前記径大部と前記径小部との段部に係止させて前記表側固定部と前記裏側固定部とを固定させ、前記ボタン部の裏面に形成される有底孔に前記鍔状部を嵌め入れて、前記ボタン部と前記固定部を固定されてなることを特徴とする。
【０００９】
請求項２に記載のかしめボタンは、請求項１に記載のかしめボタンにおいて、前記ボタン部は、前記ボタン部の裏面に形成される前記有底孔と同じ直径を有するボタン部群であって、前記ボタン部の直径が異なる複数の種類の前記ボタン部からなる前記ボタン部群から、取り付けられる衣服に使用される径のボタン部を選択して固定されることを特徴とする。
【００１０】
請求項３のかしめボタンは、請求項１又は２に記載のかしめボタンにおいて、前記突部は、前記突部の外周に前記径小部より若干径大であって、弾性変形又は塑性変形可能なフランジ部を設けてなることを特徴とする。
【００１１】
請求項４に記載の衣服は、請求項１乃至請求項３の何れか一に記載のかしめボタンを備えることを特徴とする。
【００１２】
本考案に係るかしめボタンによると、ボタン部をボタン固定部に嵌め入れて固定できる構成としているので、、前記衣服に必要とされるサイズに拘わらず、同一の大きさのボタン固定部を取り付けて、予め用意された複数のサイズのボタン部のうちから、必要とされるサイズのボタン部を選択して取り付けることにより、製造及び在庫効率を高めることができる。また、ボタン部を着脱自在にとりつけるようにすると、ボタン部を交換して取り付けることができるので、デザインの異なるかしめボタンとして使用することができる。また、前記かしめボタンを取り付けた衣服についても、同様に製造及び在庫効率を高めることができる。また、ボタン部を着脱自在にとりつけるようにすると、ボタン部を交換して取り付けることができるので、デザインの異なる衣服として使用することができる。
【考案の効果】
【００１３】
本考案に係るかしめボタンにおいては、ボタン部をボタン固定部に嵌め入れて固定できる構成としているので、、前記衣服に必要とされるサイズに拘わらず、同一の大きさのボタン固定部を取り付けて、予め用意された複数のサイズのボタン部のうちから、必要とされるサイズのボタン部を選択して取り付けることにより、製造及び在庫効率を高めることができる。また、ボタン部を着脱自在にとりつけるようにすると、ボタン部を交換して取り付けることができるので、デザインの異なるかしめボタンとして使用することができる。また、前記かしめボタンを取り付けた衣服についても、同様に製造及び在庫効率を高めることができる。また、ボタン部を着脱自在にとりつけるようにすると、ボタン部を交換して取り付けることができるので、デザインの異なる衣服として使用することができる。
【図面の簡単な説明】
【００１４】
【図１】本考案の実施形態に係るかしめボタンの分解斜視図である。
【図２】同中央縦断面図である。
【図３】裏側固定部の突部を表側固定部に嵌入した状態を示す中央縦断面図である。
【図４】衣服に固定部を取り付けた状態を示す中央縦断面図である。
【図５】かしめボタンを衣服に取り付けた状態を示す中央縦断面図である。
【図６】固定部（裏側及び表側）とボタン径の異なるボタン部の斜視図である。
【図７】衣服への取り付け行程１を示す図である。
【図８】衣服への取り付け行程２を示す図である。
【図９】衣服への取り付け行程３を示す図である。
【図１０】衣服への取り付け行程４を示す図である。
【図１１】衣服へ取り付けた状態を示す概略図である。
【考案を実施するための形態】
【００１５】
本考案に係るかしめボタンを実施するための実施形態について、図面にしたがって説明する。
【００１６】
図１は本考案の実施形態に係るかしめボタンの分解斜視図であり、図２は同中央縦断面図であり、図３は裏側固定部の突部を表側固定部に嵌入した状態を示す中央縦断面図であり、図４は衣服に固定部を取り付けた状態を示す中央縦断面図であり、図５はかしめボタンを衣服に取り付けた状態を示す中央縦断面図である。図６は固定部（裏側及び表側）とボタン径の異なる複数の種類のボタン部の斜視図である。
【００１７】
図１乃至図５中、１０は本実施形態に係るかしめボタンを示し、前記かしめボタン１０は、ボタン部１１と表側固定部２０と裏側固定部３０とから構成される。
【００１８】
前記かしめボタン１０のうち、前記表側固定部２０及び前記裏側固定部３０は、アルミニウム等の比較的やわらかい金属または合成樹脂で成形されるが、前記表側固定部２０を金属で形成し、前記裏側固定部３０を合成樹脂で成型しても良く、さらに、前記表側固定部２０を合成樹脂で成型し、前記裏側固定部３０を金属で成型しても良い。さらに、前記裏側固定部３０の後述する基板３１を金属で構成し、後述する突部３２を合成樹脂で成型しても良い。そして、前記ボタン部１１は可撓性を有する合成樹脂で成型される。
【００１９】
前記表側固定部２０は、円形板状の鍔状部２１と、前記鍔状部２１の下面から下部に突出する円筒状部２２とから形成されており、前記鍔状部２１と前記円筒状部２２とを貫通する連通孔２５が穿設されており、前記連通孔２５は、前記鍔状部２１側の径大部２３と前記筒状部２２側の径小部２４とから形成されており、前記径大部２３と前記径小部２４間に段部２６を形成している。
【００２０】
前記裏側固定部３０は、円形板状の基板３１と、前記基板３１の上面中央から軸部３２ａを突出させ、前記軸部３２ａの先端には略三角錐状の先端部３２ｂを設け、さらに、前記軸部３２ａの外周には、前記径小部２４より僅かに径大の傘状フランジ部３２ｃを軸方向に３重となるように設けている。
【００２１】
そして、前記裏側固定部３０は、前記表側固定部２０と嵌め合うことができるように、前記突部３２の前記軸部３２ａの径は、前記表側固定部２０に穿設された径小部２４の径より少し小さく形成されている。そして、前記先端部３２ｂの下端縁の径及び前記傘状フランジ部３２ｃの下端縁の径は、前記径小部２４よりも僅かに径大となるように形成し、前記裏側固定部３０を前記表側固定部２０に嵌め入れるときに、前記先端部３２ｂの下端縁及び前記傘状フランジ部３２ｃの下端縁が縮径しながら、嵌入し、前記径小部２４を通過した後は、拡径して、返しの効果を発揮し、作業時に、前記裏側固定部３０を前記表側固定部２０から抜けがたくしている。また、後述するように、前記突部３２の先端をかしめて前記表側固定部２０と固着させるため、前記突部３２の長さは前記径小部２４よりも長く形成されている。
【００２２】
そして、前記ボタン部１１は、円盤状に形成されており、裏面には、前記鍔状部２１を嵌合する有底孔１２が形成され。前記有底孔１２の環状端部には係止突起１２ｃが内方に突出形成されており、前記鍔状部２１が嵌合された場合に脱落しないように嵌め合うことができる。
【００２３】
前記ボタン部１１は、例えば、前記衣服に使用される一般的なボタン径である８, ９, １０, １１，５, １３, １５ｍｍを備えるようにすれば、前記衣服の種類やデザインによって異なるかしめボタンを使用することができる。たとえば、図６（ａ）に示すボタン部１１はボタン径が８ｍｍであり、（ｂ）に示すボタン部１１ｂはボタン径が９ｍｍであり、（ｃ）に示すボタン部１１ｃはボタン径が１０ｍｍであり、これらは、有底孔１２の大きさを共通に形成しており、図６左側の固定部（前記表側固定部２０及び前記裏側固定部３０）の前記鍔状部２１に嵌合する。したがって、前記固定部２０，３０がワンサイズであっても、前記ボタン部１１は所望のボタン径のものを取り付けることができるのである。
【００２４】
さらに、前記ボタン部１１は、六角形等の多角形の形状のものや、文字や図形をあしらったものや、円錐形状やドーム形状のような立体的なものを適用しても良い。その他、前記ボタン部１１の形状は本実施例に限定されるものではない。
【００２５】
図７は衣服への取り付け行程１を示す図であり、図８は衣服への取り付け行程２を示す図であり、図９は衣服への取り付け行程３を示す図であり、図１０は衣服への取り付け行程４を示す図であり、図１１は衣服へ取り付けた状態を示す概略図である。
【００２６】
図７乃至図１０に示すように、前記構成からなる前記かしめボタン１０を衣服ＹＳに取り付ける場合は、例えば、次の行程により取り付けると良い。
【００２７】
まず、図７に示すように、前記衣服ＹＳの適宜位置（ボタンホールＢＨが既に形成されている場合は、前記ボタンホールＢＨと符合する位置）で、前記衣服ＹＳの裏地側から前記裏側固定部３０の前記突部３２を突き刺して、表地に前記突部３２を突き抜けさせる。
【００２８】
次に、図８及び図３に示すように、前記衣服ＹＳの表地から突出した前記突部３２に、前記表側固定部２０の前記連通孔２５を嵌めるように被せる。このとき、前記先端部３２ｂの下端縁の径及び前記傘状フランジ部３２ｃの下端縁の径は、前記径小部２４よりも僅かに径大となるように形成しているので、前記裏側固定部３０を前記表側固定部２０に嵌め入れるときに、前記先端部３２ｂの下端縁及び前記傘状フランジ部３２ｃの下端縁が縮径しながら嵌入し、前記径小部２４を通過した後は拡径して返しの効果を発揮するため、作業時に、前記裏側固定部３０を前記表側固定部２０から抜けがたくなり、作業効率が良くなる。
【００２９】
そして、前記径大部２３と符合する大きさに先端を形成されたかしめ用具Ｋで、前記表側固定部２０の前記径大部２３に突入している前記突部３２の先端を打撃し、図９及び図４に示すように、塑性変形させて、塑性変形して膨大状態となった膨大部３３を前記径大部２３と前記径小部２４間の前記段部２６に係合させて、前記表側固定部２０と前記裏側固定部３０とを固着させるのである。
【００３０】
そして、図１０に示すように、前記鍔状部２１に、前記ボタン部１１に設けた有底孔１２を強制嵌合させて、図１１に示すように、前記ボタン部１１を前記表側固定部２０に取り付けるのである。
【００３１】
以上の構成からなる前記かしめボタン１０を、前記のような取り付け方法にて衣服ＹＳに取り付ける場合は、ボタン部をボタン固定部に嵌め入れて固定できる構成としているので、、前記衣服に必要とされるサイズに拘わらず、同一の大きさのボタン固定部を取り付けて、予め用意された複数のサイズのボタン部のうちから、必要とされるサイズのボタン部を選択して取り付けることにより、製造及び在庫効率を高めることができる。また、ボタン部を着脱自在にとりつけるようにすると、ボタン部を交換して取り付けることができるので、デザインの異なるかしめボタンとして使用することができる。また、前記かしめボタンを取り付けた衣服についても、同様に製造及び在庫効率を高めることができる。また、ボタン部を着脱自在にとりつけるようにすると、ボタン部を交換して取り付けることができるので、デザインの異なる衣服として使用することができる。
【００３２】
なお、本実施例においては、フランジ部を傘状として、前記裏側固定部３０を前記表側固定部２０に嵌め入れるときに、前記傘状フランジ部３２ｃの下端縁が縮径しながら嵌入するように形成して、嵌入し易い形状として形成したが、前記フランジ部は、傘状に限定されるものではない。
【符号の説明】
【００３３】
１０    かしめボタン
１１    ボタン部
１２    有底孔
２０    表側固定部
２１    鍔状部
２２    筒状部
２３    径大部
２４    径小部
２５    連通孔
２６    段部
３０    裏側固定部
３１    基板
３２    突部
３２ａ  軸部
３２ｂ  先端部
３２ｃ  傘状フランジ部
３３    膨大部
ＹＳ    衣服
Ｋ      かしめ用具
【図１】
0003223557.tif 000003
【図２】
0003223557.tif 000004
【図３】
0003223557.tif 000005
【図４】
0003223557.tif 000006
【図５】
0003223557.tif 000007
【図６】
0003223557.tif 000008
【図７】
0003223557.tif 000009
【図８】
0003223557.tif 000010
【図９】
0003223557.tif 000011
【図１０】
0003223557.tif 000012
【図１１】
0003223557.tif 000013